(57)【要約】【課題】袋本体の開口縁部に取り付けられる把手構成体において、把手構成体を持って提げている際に、把手構成体に印刷した表示部のインクが剥げ落ちないようにしたものを提供する。【解決手段】包装用袋Ｈは、袋本体１と、把手構成体２，２を備えている。袋本体１は、向かい合う側壁部１０，１０と、ガゼット部１１，１１と、底部にボトム部１２を備えている。把手構成体２は、所要長さを有する全体が透明なシート状の帯状体２０と、不透明な帯状体２１を有している。このうち帯状体２０の裏面には、帯状体２０を透して外部から視認できる表示部２２が設けてある。表示部２２は、印刷してインクを帯状体２０に設けることで形成してある。把手構成体２は、帯状体２０と帯状体２１の端部側を袋本体１の側壁部１０の外側と内側に設けて、側壁部１０を挟んだ状態で袋本体１と一体になるよう溶着してある。【選択図】図１
2007126201.tif 000002
【特許請求の範囲】
【請求項１】
袋本体の側壁部の開口縁部に把手を形成するよう取り付けられる把手構成体であって、
両方の端部側が、袋本体の側壁部の外側と内側に、当該袋本体の側壁部を挟んだ状態で取り付け可能なよう形成してあり、また、内部に印刷による表示部が設けられるよう構成手段が重ねてある部分を有しており、当該表示部が上記構成手段に設けてある透視部を透して外部から視認できるよう構成してあることを特徴とする、
包装用袋の把手構成体。
【請求項２】
側壁部の外側と内側に設けた端部側と袋本体とが一体になるよう接着または溶着してあることを特徴とする、
請求項１記載の包装用袋の把手構成体。
【請求項３】
袋本体の側壁部の開口縁部に把手を形成するよう取り付けられる把手構成体であって、
内部に印刷による表示部が設けられるよう構成手段が重ねてある部分を有しており、当該表示部が上記構成手段に設けてある透視部を透して外部から視認できるよう構成してあることを特徴とする、
包装用袋の把手構成体。
【請求項４】
構成手段は、重ねた状態からずれないよう構成してあることを特徴とする、
請求項１，２または３記載の包装用袋の把手構成体。
【請求項５】
請求項１，２，３または４記載の把手構成体が側壁部の開口縁部に取り付けてあることを特徴とする、
包装用袋。
【請求項６】
袋本体の側壁部の開口縁部に把手を形成するよう取り付けられる把手構成体の製造方法であって、
両方の端部側を袋本体の側壁部の外側と内側に、当該袋本体の側壁部を挟むよう設けるステップと、
内部に印刷による表示部が設けられるよう構成手段を重ねた部分を形成し、当該表示部が上記構成手段に設けてある透視部を透して外部から視認できるようにするステップと、
を含むことを特徴とする、
把手構成体の製造方法。
【請求項７】
側壁部の外側と内側に設けた端部側と袋本体とが一体になるよう接着または溶着するステップを含むことを特徴とする、
請求項６記載の把手構成体の製造方法。
【請求項８】
袋本体の側壁部の開口縁部に把手を形成するよう取り付けられる把手構成体の製造方法であって、
内部に印刷による表示部が設けられるよう構成手段を重ねた部分を形成し、当該表示部が上記構成手段に設けてある透視部を透して外部から視認できるようにすることを特徴とする、
把手構成体の製造方法。
【発明の詳細な説明】
【技術分野】
【０００１】
本発明は、包装用袋の把手構成体及びそれを備えた包装用袋、把手構成体の製造方法に関する。
更に詳しくは、袋本体の側壁部の開口縁部に把手を形成するよう取り付けられる把手構成体において、把手構成体を持って提げている際に、この把手構成体に印刷して設けた表示部のインクが剥げ落ちないようにしたものに関する。また、袋本体における把手構成体を取り付けた箇所の近傍が破れ難いようにしたものに関する。
【背景技術】
【０００２】
例えば、買い物バック等として使用される簡易的な入れ物として、従来から合成樹脂でつくられた把手付きの包装用袋９が広く使用されている（例えば、図６参照）。このような把手付きの包装用袋９としては、把手を形成する把手構成体９１を合成樹脂製の帯状体で形成し、その両側を袋本体９０の内側に差し込んで側壁部９００，９００の開口縁部に溶着して取り付けたものがある。通常、このような包装用袋９の側壁部には、印刷により広告が設けられている。近年、包装用袋９への広告は向かい合う側壁部だけでなく、把手構成体９１にも設けられている。
【発明の開示】
【発明が解決しようとする課題】
【０００３】
しかし、上記した包装用袋９には、次のような課題があった。
まず、把手構成体９１は、包装用袋９を運ぶ際に持って提げられるので、広告を構成するインクが掌の汗や脂等によって次第に剥げ落ちてしまい、外観が見苦しくなるという課題があった。また、インクが剥げ落ちることによって手も汚れてしまう。
【０００４】
また、把手構成体９１が袋本体９０の内側に溶着して取り付けてあるものでは、把手構成体９１を持って提げることにより、袋本体９０の溶着箇所９２に対して、この部分のみが内側の斜め方向に引っ張られるので、これにより袋本体９０が溶着箇所９２の近傍から引き裂かれて破れてしまうことがあった（図７参照）。特に、側壁部９００，９００の間にガゼット部９０１，９０１が設けてある包装用袋に、物品を隙間がないほど詰め込んだような場合では、上記課題はより顕著に表れていた。
【０００５】
本発明の目的は、袋本体の側壁部の開口縁部に把手を形成するよう取り付けられる把手構成体において、把手構成体を持って提げている際に、この把手構成体に印刷して設けた表示部のインクが剥げ落ちないようにした、包装用袋の把手構成体及びそれを備えた包装用袋、把手構成体の製造方法を提供することにある。
また、本発明の他の目的は、袋本体における把手構成体を取り付けた箇所の近傍が破れ難い、包装用袋の把手構成体及びそれを備えた包装用袋、把手構成体の製造方法を提供することにある。
【課題を解決するための手段】
【０００６】
上記目的を達成するために本発明が講じた手段は次のとおりである。
第１の発明にあっては、
袋本体の側壁部の開口縁部に把手を形成するよう取り付けられる把手構成体であって、
両方の端部側が、袋本体の側壁部の外側と内側に、当該袋本体の側壁部を挟んだ状態で取り付け可能なよう形成してあり、また、内部に印刷による表示部が設けられるよう構成手段が重ねてある部分を有しており、当該表示部が上記構成手段に設けてある透視部を透して外部から視認できるよう構成してあることを特徴とする、
包装用袋の把手構成体である。
【０００７】
第２の発明にあっては、
側壁部の外側と内側に設けた端部側と袋本体とが一体になるよう接着または溶着してあることを特徴とする、
第１の発明に係る包装用袋の把手構成体である。
【０００８】
第３の発明にあっては、
袋本体の側壁部の開口縁部に把手を形成するよう取り付けられる把手構成体であって、
内部に印刷による表示部が設けられるよう構成手段が重ねてある部分を有しており、当該表示部が上記構成手段に設けてある透視部を透して外部から視認できるよう構成してあることを特徴とする、
包装用袋の把手構成体である。
【０００９】
第４の発明にあっては、
構成手段は、重ねた状態からずれないよう構成してあることを特徴とする、
第１，第２または第３の発明に係る包装用袋の把手構成体である。
【００１０】
第５の発明にあっては、
第１，第２，第３または第４の発明に係る把手構成体が側壁部の開口縁部に取り付けてあることを特徴とする、
包装用袋である。
【００１１】
第６の発明にあっては、
袋本体の側壁部の開口縁部に把手を形成するよう取り付けられる把手構成体の製造方法であって、
両方の端部側を袋本体の側壁部の外側と内側に、当該袋本体の側壁部を挟むよう設けるステップと、
内部に印刷による表示部が設けられるよう構成手段を重ねた部分を形成し、当該表示部が上記構成手段に設けてある透視部を透して外部から視認できるようにするステップと、
を含むことを特徴とする、
把手構成体の製造方法である。
【００１２】
第７の発明にあっては、
側壁部の外側と内側に設けた端部側と袋本体とが一体になるよう接着または溶着するステップを含むことを特徴とする、
第６の発明に係る把手構成体の製造方法である。
【００１３】
第８の発明にあっては、
袋本体の側壁部の開口縁部に把手を形成するよう取り付けられる把手構成体の製造方法であって、
内部に印刷による表示部が設けられるよう構成手段を重ねた部分を形成し、当該表示部が上記構成手段に設けてある透視部を透して外部から視認できるようにすることを特徴とする、
把手構成体の製造方法である。
【００１４】
本発明に係る把手構成体を構成する構成手段は、内部に表示部が設けられるよう重ねることができれば、形状は特に限定するものではない。例えば、帯状（シート状）を有するものが使用できる。
【００１５】
構成手段に設けてある透視部は、外部から透して表示部が視認できれば、特に限定するものではなく、例えば、透明や半透明にすることができる。
【００１６】
本発明に係る把手構成体を形成する材料は、特に限定するものではなく、例えば、紙や合成樹脂を挙げることができる。合成樹脂としては、例えば、ポリエチレンやポリプロピレン等が使用できる。また、把手構成体が取り付けられる袋本体も材料は特に限定するものではなく、例えば、紙や合成樹脂を挙げることができる。
【００１７】
構成手段が重ねた状態からずれないよう構成する手段としては、特に限定するものではないが、例えば、接着、貼着、圧着、縫着、ステープラによる固着、フックやホック、ボタン、面ファスナー等によって取り付けることができる。また、重ねる構成手段が合成樹脂で形成してあれば、溶着によって取り付けることもできる。
【００１８】
把手構成体は、袋本体に対して、接着、貼着、圧着、縫着、ステープラによる固着、フックやホック、ボタン、面ファスナー等によって取り付けることができる。また、把手構成体と袋本体が互いに合成樹脂で形成してあれば、溶着によって取り付けることもできる。
【００１９】
（作  用）
本発明は、袋本体の側壁部の開口縁部に把手を形成するよう取り付けられ、内部に印刷によって設けられた表示部を触らないように持って提げて使用される。
【００２０】
把手構成体の内部に設けられた表示部は、構成手段に設けてある透視部を透して外部から視認できる。
【００２１】
端部側が、袋本体の側壁部の外側と内側に、当該袋本体を挟んだ状態で取り付け可能なよう形成してあるものは、把手構成体を持って提げた場合、把手構成体の取付箇所が、袋本体の内面と外面の両面側から内側の斜め方向に引っ張られる。
【００２２】
側壁部の外側と内側に設けた端部側と袋本体とが一体になるよう接着または溶着してあるものは、把手構成体と袋本体との取り付けが簡単である。
【００２３】
構成手段が重ねた状態からずれないよう構成してあるものは、構成手段がずれず表示部が表側に表れない。
【発明の効果】
【００２４】
本発明は上記構成を備え、次の効果を有する。
（ａ）本発明によれば、印刷による表示部が内部に設けられるよう構成手段を重ねてある部分を有しているので、表示部に直接触れることができない。従って、把手構成体を持って提げた場合でも、表示部のインクが剥げ落ちず外観が見苦しくならない。また、インクが剥げ落ちないので、把手構成体を持って提げていた手も汚れない。
【００２５】
（ｂ）両方の端部側が、袋本体の側壁部の外側と内側に、当該袋本体の側壁部を挟んだ状態で取り付け可能なよう形成してあるものは、把手構成体を持って提げた場合、把手構成体の取付箇所が、袋本体の内面と外面の両面側から内側の斜め方向に引っ張られる。この場合では把手構成体と袋本体の取付箇所の近傍が破れ難い。
【００２６】
（ｃ）側壁部の外側と内側に設けた端部側と袋本体とが一体になるよう接着または溶着してあるものは、把手構成体と袋本体との取り付けが簡単である。
【００２７】
（ｄ）構成手段が重ねた状態からずれないよう構成してあるものは、構成手段がずれず表示部が表側に表れないので、内部に設けられた表示部が確実に触らないようにできる。
【発明を実施するための最良の形態】
【００２８】
本発明の実施の形態を図面に基づき更に詳細に説明する。
図１は本発明に係る包装用袋の一実施の形態を示す斜視説明図、
図２は図１に示す包装用袋における手前側の把手構成体の取付部近傍を拡大して示す要部拡大斜視説明図、
図３は図１に示す把手構成体を幅方向に断面したときの断面図である。
包装用袋Ｈは、袋本体１と、把手構成体２，２を備えている。本実施の形態で示す袋本体１と把手構成体２，２は共に合成樹脂で形成されている。
【００２９】
袋本体１は、向かい合う側壁部１０，１０と、その間に設けたガゼット部１１，１１と、底部にボトム部１２を備えた形状を有している。本実施の形態で示す袋本体１は、底部を溶着（シール）した、いわゆるボトムシール方式によって製造されたものを例に挙げて説明している。しかし、これは限定するものではなく、包装用袋は、側部を溶着して形成した、いわゆるサイドシール方式によって製造されたものを使用することもできる。
【００３０】
把手構成体２は、向かい合う側壁部１０，１０にそれぞれ設けてある。各把手構成体２は、所要の長さを有する帯形状に形成されており、両端部側を側壁部１０の開口縁部に溶着することで取り付けてある。
【００３１】
把手構成体２について詳しく説明する。把手構成体２は、所要長さを有する全体が透明なシート状の帯状体２０と、帯状体２０と略同じ形状に形成してある不透明な帯状体２１を有している。帯状体２０と帯状体２１は、把手構成体２を構成する構成手段である。
【００３２】
このうち透明な帯状体２０の裏面（内面）には、帯状体２０を透して外部から視認できる表示部２２が設けてある。表示部２２は、印刷してインクを帯状体２０に設けることで形成してある。通常、表示部２２には広告が表示される。しかし、表示部２２に表示するものは広告に限定するものではなく、例えば、標識（商標を含む）や標章を設けることもできる。また、表示部２２は、通常、文字、記号、図形（イラスト）等によって構成されるが、これも特に限定するものではない。更に、表示部２２には色彩を付与することもできる。本実施の形態で示す表示部２２には、「Ｍｏｒｏｆｕｊｉ  Ｉｎｃ．」という文字が描かれている。なお、本実施の形態で示す帯状体２０は、全体が透明であるので、この場合の透視部は全体にわたる。
【００３３】
帯状体２０と帯状体２１は、印刷した表示部２２が内部に設けられるよう全長にわたって重ね合わせてある。また、帯状体２０と帯状体２１は、側壁部１０の開口縁部に溶着する両端部側を除く部分について、長さ方向に延びる両方の縁部側に四角点状の溶着部２３（シール部）を所定間隔で多数設けて一体化してある。
【００３４】
把手構成体２は、帯状体２０と帯状体２１の端部側を袋本体１の側壁部１０の外側と内側に設けて、側壁部１０を挟んだ状態で帯状体２０及び帯状体２１と袋本体１とが一体になるよう溶着して取り付けてある。符号３は、帯状体２０及び帯状体２１と袋本体１を一体になるよう取り付ける溶着部を示している。本実施の形態では、透明な帯状体２０を袋本体１の外側に配置して設けた。しかし、これは限定するものではなく、帯状体２１を袋本体１の外側に配置することもできる。
【００３５】
（作  用）
図１ないし図３を参照し、本実施の形態で示す包装用袋Ｈの作用を説明する。
把手構成体２は、印刷した表示部２２が内部に設けられるよう帯状体２０と帯状体２１を重ね合わせて形成してあり、これにより表示部２２に直接触れることができないようにしてある。従って、把手構成体２を持って提げた場合でも、表示部２２のインクが剥げ落ちず外観が見苦しくならない。また、インクが剥げ落ちないので、把手構成体２，２を持って提げていた手も汚れない。
【００３６】
また、把手構成体２は、帯状体２０と帯状体２１の端部側を袋本体１の側壁部１０の外側と内側に設けて、側壁部１０を挟んだ状態で帯状体２０及び帯状体２１と袋本体１とが一体になるよう溶着して取り付けてあるので、把手構成体２を持って提げた場合、把手構成体２の取付箇所は、袋本体１の内面と外面の両面側から内側の斜め方向に引っ張られる。この場合では把手構成体２と袋本体１の取付箇所の近傍が破れ難い。
【００３７】
なお、本実施の形態で示す把手構成体２は、帯状体２０と帯状体２１の端部側を袋本体１の側壁部１０の外側と内側に設けて、側壁部１０を挟んだ状態で袋本体１に取り付けたが、把手構成体２の取り付け構造はこれに限定するものではない。例えば、図４に示すように把手構成体２は、帯状体２０と帯状体２１の端部側の両方を側壁部の内側に設けて取り付けることもできるし、図５に示すように帯状体２０と帯状体２１の端部側の両方を側壁部の外側に設けて取り付けることもできる。
【００３８】
本実施の形態において把手構成体２は、透明な帯状体２０の裏面に表示部２２を設けたものを示したが、これは限定するものではなく、透視部を透して外部から視認することができれば表示部２２は、帯状体２１に設けることもできるし、帯状体２０と帯状体２１の両方に設けることもできる。特に、帯状体２０と帯状体２１の両方に表示部を設けたものの場合では、表示部の模様等の異なるものの組み合わせにより簡単に多くの種類の把手構成体が形成できる。
【００３９】
本実施の形態において把手構成体２は、合成樹脂で形成したものを示したが、把手構成体を形成する材料は特に限定するものではなく、例えば、紙や合成樹脂と紙の複合物で形成したもの等が使用できる。また、把手構成体は、材料の異なる帯状体を重ね合わせて形成することもできる。
【００４０】
本実施の形態において把手構成体２は、帯状体２０と帯状体２１を重ね合わせて形成したものを示したが、これは限定するものではなく、例えば、把手構成体は、更に多くの帯状体を重ね合わせて（三層以上）形成することもできる。この場合、外部から視認することができれば表示部は、間に設けた帯状体に設けることもできる。
【００４１】
本実施の形態において把手構成体２を形成する帯状体２０は、全体が透明になっているものを使用したが、これは限定するものではなく、表示部が外部から視認できるようにする透視部は、例えば、少なくとも表示部が設けられる部分だけに設けてあれば良い。また、重ねる帯状体は、把手構成体の全体でなく表示部が設けられる部分だけに設けても良い。
【００４２】
本実施の形態において帯状体２０は、全体が透明であるが、これは限定するものではなく、表示部が外部から視認することができれば、透視部は半透明にすることもできる。
【００４３】
本実施の形態において把手構成体２は、長さ方向に延びる両方の縁部側に四角点状の溶着部（シール部）を設けて形成したものを示したが、これは限定するものではなく、例えば、溶着部は丸形状や三角状にすることもできる。更に、溶着部は点状でなく、線状にすることもできる。線状にした場合は長さ方向の全長にわたって設けることもできる。
また、把手構成体は、例えば、接着、貼着、圧着、縫着、ステープラによる固着等によって帯状体が重ね合わされたものを使用することもできる。
【００４４】
本実施の形態において把手構成体２は、別体の帯状体を重ね合わせて形成したものを示したが、把手構成体はこれに限定するものではなく、例えば、所要長さを有する幅広の帯状体を有しており、この帯状体を長さ方向に折曲線が形成されるよう幅方向に折り曲げて重ねたものを使用することもできる。
【００４５】
実施の形態で示す包装用袋は、ガゼット部１１，１１及びボトム部１２を備えたものを示したが、これは限定するものではなく、ガゼット部を備えないもの、底部のボトム部を備えないもの、この両方ともを備えない形態のものを使用することもできる。
なお、袋本体は、開口縁部側を内側や外側に折り返して形成したタイプのものを使用することもできる。このような袋本体の場合、折り返して重なった部分は、溶着しても良いし、溶着しなくても良い。
【００４６】
実施の形態で溶着部３は、楕円形状を有するようにしたものを示したが、溶着部の形状は特に限定するものではなく、例えば、円形状、四角形状等の多角形状にすることもできる。また、溶着は溶着部３の外縁部だけに行うこともできる。
【００４７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４８】
【図１】本発明に係る包装用袋の一実施の形態を示す斜視説明図。
【図２】図１に示す包装用袋における手前側の把手構成体の取付部近傍を拡大して示す要部拡大斜視説明図。
【図３】図１に示す把手構成体を幅方向に断面したときの断面図。
【図４】把手構成体の取り付け構造の他の例を示す要部拡大斜視説明図。
【図５】把手構成体の取り付け構造の他の例を示す要部拡大斜視説明図。
【図６】従来の包装用袋を示す斜視説明図。
【図７】従来の包装用袋における把手構成体と袋本体の取付箇所の近傍を示す拡大斜視説明図。
【符号の説明】
【００４９】
Ｈ  包装用袋
１  袋本体
１０  側壁部
１１  ガゼット部
１２  ボトム部
２  把手構成体
２０  帯状体
２１  帯状体
２２  表示部
２３  溶着部
３  溶着部
９  包装用袋
９０  袋本体
９００  側壁部
９１  把手構成体
９０１  ガゼット部
９２  溶着箇所
【図１】
2007126201.tif 000003
【図２】
2007126201.tif 000004
【図３】
2007126201.tif 000005
【図４】
2007126201.tif 000006
【図５】
2007126201.tif 000007
【図６】
2007126201.tif 000008
【図７】
2007126201.tif 000009